(57)【要約】【課題】カメラ本体に特別な機構を設けたり、ハードウエアを変更したりすることなく、カメラ本体側でライトユニットを制御可能な撮像装置を提供する。【解決手段】疾患領域の診断を支援する撮像装置１０は、疾患領域を被写体として撮影するカメラ本体１と、カメラ本体１に装着されるアタッチメント３と、を備え、アタッチメント３が、カメラ本体１に設けられている検知可能手段１７の動作状態に応じて制御されることを特徴とする。【選択図】図３
2019117278.tif 000002
【特許請求の範囲】
【請求項１】
疾患領域の診断を支援する撮像装置であって、
前記疾患領域を被写体として撮影するカメラ本体と、
前記カメラ本体に装着されるアタッチメントと、を備え、
前記アタッチメントが、前記カメラ本体に設けられている検知可能手段の動作状態に応じて制御されることを特徴とする撮像装置。
【請求項２】
前記検知可能手段が、光により検知可能であることを特徴とする請求項１に記載の撮像装置。
【請求項３】
前記アタッチメントが光源を備えるライトユニットであり、前記検知可能手段が前記カメラ本体に設けられた側の電源ランプであって、前記光源が、前記アタッチメントによって検知された前記電源ランプの点灯状態に応じて、その動作を制御されることを特徴とする請求項２に記載の撮像装置。
【請求項４】
前記ライトユニットが前記カメラ本体の前記電源ランプの点灯状態をフォトセンサで検知し、前記光源が前記カメラ本体のレリーズ操作に連動した点灯パターンによって制御されることを特徴とする請求項３に記載の撮像装置。
【請求項５】
前記光源が、可視光、紫外光及び近赤外光の少なくとも２つを含み、前記カメラ本体が１回のシャッタ操作で複数の光源を用いて前記被写体を連写することを特徴とする請求項３又は４に記載の撮像装置。
【請求項６】
前記カメラ本体がスマートフォンであり、前記検知可能手段が前記スマートフォンに設けられているモニタ画面であり、前記アタッチメントが前記スマートフォンの前記モニタ画面の表示状態に応じて制御されることを特徴とする請求項１に記載の撮像装置。
【請求項７】
前記スマートフォンには前記アタッチメントを制御するためのアプリケーションプログラムがインストールされることを特徴とする請求項６に記載の撮像装置。
【請求項８】
疾患領域を被写体として撮影するカメラ本体に装着されるアタッチメントであって、
前記カメラ本体に設けられている検知可能手段の光に応じて制御される光源を備えることを特徴とするアタッチメント。
【発明の詳細な説明】
【技術分野】
【０００１】
本発明は、撮像装置、特に、疾患領域の診断を支援する撮像装置及びアタッチメントに関する。
【背景技術】
【０００２】
近年、高齢化やオゾン層破壊によってメラノーマ（悪性黒色腫）などの皮膚疾患の増加が問題となっている。このような皮膚疾患の診断には、皮膚内部の色素分布や色合いを撮影できるダーモスコピーカメラと呼ばれる撮像装置が活用されている。例えば、特許文献１には、ダーモスコピー撮影を行うため、市販のカメラ（カメラ本体）にダーモスコピー用アタッチメント（ライトユニット）を装着して撮影する発明が開示されている。
【０００３】
しかしながら、特許文献１の発明では、カメラとアタッチメントは信号線がつながっていないか、せいぜい電源の供給線が接続する程度であることから、カメラ側でアタッチメントを自由に制御することは困難であるという課題があった。
【先行技術文献】
【特許文献】
【０００４】
【特許文献１】特開２０１６−２１４５５２号公報
【発明の概要】
【発明が解決しようとする課題】
【０００５】
本発明は、このような事情に鑑みなされたものであり、撮像装置のカメラ本体に特別な機構を設けたり、ハードウエアを特別に変更したりすることなく、カメラ本体側でアタッチメントを制御可能にすることを目的とする。
【課題を解決するための手段】
【０００６】
上記した課題を解決するために本発明の一態様は、疾患領域の診断を支援する撮像装置であって、前記疾患領域を被写体として撮影するカメラ本体と、前記カメラ本体に装着されるアタッチメントと、を備え、前記アタッチメントが、前記カメラ本体に設けられている検知可能手段の動作状態に応じて制御されることを特徴とする。
本発明の他の特徴は、本明細書及び添付図面の記載により明らかにする。
【発明の効果】
【０００７】
本発明によれば、撮像装置のカメラ本体に特別な機構を設けたり、ハードウエアを特別に変更したりすることなく、カメラ本体側でアタッチメントを制御可能にすることができる。
【図面の簡単な説明】
【０００８】
【図１】第１実施形態に係る撮像装置の斜視図である。
【図２】図１の分解斜視図である。
【図３】図１におけるライトユニット及びカメラ本体を説明する側断面図である。
【図４】図１におけるライトユニットを説明する正面図である。
【図５】第１実施形態に係る撮像装置の動作フローを説明する図である。
【図６】第２実施形態に係る撮像装置の正面図である。
【図７】図６の分解斜視図である。
【図８】図７におけるライトユニットの斜視断面図である。
【図９】図７にけるカメラ本体の斜視断面図である。
【図１０】図６におけるライトユニットの正面図である。
【図１１】図１０におけるＸ−Ｘ線断面図である。
【図１２】図１０におけるＹ−Ｙ線断面図である。
【発明を実施するための形態】
【０００９】
以下、本発明を適用したカメラの実施形態について、図面を参照しながら説明する。なお、当該カメラは「ほくろ」などの癌（メラノーマ）を診察するための撮像装置であるダーモスコピーカメラや、より一般的に被写体に接触することで撮影する撮像装置であるクローズアップカメラなどに適用されるものであるが、本願明細書では、ダーモスコピーカメラに代表させて説明する。なお、本願明細書では、「マイクロスコープ（Microscope）：顕微鏡」及び「マイクロスコピー（Microscopy）：顕微鏡による検査又は顕微鏡使用（法）」の使い分けに準じ、「ダーモスコープ（Dermoscope）」及び「ダーモスコピー（Dermoscopy）」の用語を、皮膚検査用の拡大鏡（装置）及び同拡大鏡を用いた皮膚検査又は同拡大鏡使用（行為）という意味で用いている。
【００１０】
（第１実施形態）
（ダーモスコピーカメラ１０の全体構成）
まず、第１実施形態に係るダーモスコピーカメラ１０（撮像装置）について説明する。第１実施形態に係るダーモスコピーカメラ１０は、カメラ本体１に備え付けられている電源ランプ１７（通常、使用時に緑点灯、充電時に赤点灯、不使用時に消灯）を、レリーズ時に緑点灯から赤点灯又は消灯へ制御することで、カメラ本体１に取り付けられるアタッチメントとしてのライトユニット３のＬＥＤ１１ａ，１２ａの点灯状態を制御するものである。以下、詳しく説明する。
【００１１】
図１は、第１実施形態に係る撮像装置の斜視図である。図２は、図１の分解斜視図である。図３は、図１において、ライトユニット及びカメラ本体を説明する側断面図である。図４は、図１において、ライトユニットを説明する正面図である。図５は、第１実施形態に係る撮像装置の動作フローを説明する図である。
【００１２】
なお、以下の説明において、図１に示すように、撮像対象側をダーモスコピーカメラ１０の前方（前面、正面）、その反対側を後方とし、ダーモスコピーカメラ１０を前方から見たときの上下左右方向をそのまま上下左右方向とした直交座標系に基づいて説明するものとする。また、各部材に関する取り付けは、特に言及がない限り、ネジ、ビス等を用いた取り付けや、嵌合等の取り付け等、適宜の方法で行えばよい。
【００１３】
図１及び図２に示すように、ダーモスコピーカメラ（撮像装置）１０は、カメラ本体（撮像装置本体、単に「本体」ともいう）１と、カメラ本体１の前方に設けられたライトユニット３と、カメラ本体１の後方に設けられたコントローラ２とによって概略構成されている。ライトユニット３は、「ほくろ」を主な被写体として皮膚疾患部を接触状態で撮影する。カメラ本体１及びライトユニット２は、取り付けステー４及びステー固定ネジ５によって、コントローラ２に取り付けられる。
【００１４】
カメラ本体１の図中上側には、カメラ本体１の電源又は充電の状態を示す電源ランプ１７が設けられている。ライトユニット３の図中右側には、ライトユニット３に係る電源ボタン８及び電池部９が付属しており、電池部９の底部には、後述する連写動作を行うことができるように、連写動作切替スイッチ１８（ＯＮ／ＯＦＦ）が設けられている。
【００１５】
（カメラ本体１）
カメラ本体１は、図３に示すように、筐体１ａを有し、この筐体１ａの内部に撮像レンズ系（例えば、ズームレンズ）１ｄや、撮像レンズ系１ｄの後方に回路配線基板１ｂ及び撮像素子１ｃといった種々の構成部品を収容している。カメラ本体１の図中上側には、前述のとおり、カメラ本体１の電源又は充電の状態を示す電源ランプ１７が内蔵されている。撮像レンズ系１ｄの先端は、偏光フィルタ１４によって覆われている。
【００１６】
カメラ本体１としては、通常の撮影に用いられる公知の撮影装置、例えば市販されているデジタルカメラの構成を採用することができ、例えば、撮像レンズ系１ｄ、回路配線基板１ｂ、及び撮像素子１ｃは、公知の部品を用いることができる。撮像レンズ系１ｄは公知の光学レンズを有している。また、撮像素子１ｃとしては、ＣＣＤ（Charge Coupled Device）イメージセンサやＣＭＯＳ（Complementary Metal Oxide Semiconductor）イメージセンサを用いることができる。
【００１７】
（コントローラ２）
コントローラ２には、図２に示すように、上面にシャッタボタン２ａが設けられている。さらに、コントローラ２の内部には、撮像素子１ｃが読み取った撮影画像を記憶する記憶部や、ダーモスコピーカメラ１０の各部を制御する制御部が、また、コントローラ２の後面には、撮影画像を表示する画面が設けられている（これらは、不図示）。なお、この画面は、ダーモスコピーカメラ１０の各種設定を実行するためのタッチパネル式の画面としてもよい。
【００１８】
（ライトユニット３）
ライトユニット３は、図３に示すように、円錐体の先端がカットされたような筒状体の第１カバー体３Ａと、第１カバー体３Ａの先端に取り付けられた発光部７と、発光部７を覆う第２カバー体３Ｂを備えている。第１カバー体３Ａ及び第２カバー体３Ｂは、例えばポリ塩化ビニル誘導体やアクリル系樹脂などの樹脂から構成されている。
【００１９】
発光部７には、光源として、ＬＥＤ基板１１に実装されたＬＥＤ（Light Emitting Diode）１１ａ，同じくＬＥＤ基板１２に実装されたＬＥＤ１２ａが設けられている。ここでは、ＬＥＤ１１ａは偏光フィルタ１３によって覆われる一方、ＬＥＤ１２ａは偏光フィルタ１３に覆われていない態様を示している。第２カバー体３Ｂの先端の開口にはカバー部材６が嵌め込まれており、ダーモスコピー撮影時に被写体である皮膚疾患部に接触する。
【００２０】
第１カバー体３Ａの図中右上側には、カメラ本体１の電源ランプ１７に対応する位置に窓部１５ａが設けられており、窓部１５ａのライトユニット２側には電源ランプ１７の点灯状態を受光する受光手段としてフォトセンサ１５が搭載されている。フォトセンサ１５は、例えば有線（不図示）にてＬＥＤ制御基板１６に接続されており、ＬＥＤ制御基板１６は、同じく有線（不図示）にてＬＥＤ１１ａが実装されているＬＥＤ基板１１に接続されている。これにより、第１実施形態では、カメラ本体１とライトユニット３をレリーズに連動させることが可能となる。
【００２１】
図４はライトユニット３の正面図を示しており、ＬＥＤ基板１１に実装されたＬＥＤ１１ａ及びＬＥＤ基板１２に実装されたＬＥＤ１２ａは、照射される光にムラを生じさせないため、発光部７の上下において、互いに千鳥状となるように一対で設けられた例を示している。後述するように、偏光をかけた光を照射するときには一対のＬＥＤ１１ａのみを点灯し、偏光をかけない光を照射するときには一対のＬＥＤ１２ａのみを点灯する。
【００２２】
なお、図３及び図４では、ＬＥＤ１１ａは偏光フィルタ１３に覆われ、ＬＥＤ１２ａは偏光フィルタ１３に覆われていない態様を示しているが、常に偏光効果が求められる場合の使用に備えてＬＥＤ１１ａとＬＥＤ１２ａの双方が偏光フィルタ１３に覆われるように用意してもよいし、逆に、常に偏光効果が求められない場合の使用に備えてＬＥＤ１１ａとＬＥＤ１２ａの双方が偏光フィルタ１３に覆われないようにしてもよい。すなわち、皮膚疾患部の状況によって偏光フィルタ１３の必要の有無を判断すればよいが、図３に示すように、偏光フィルタ１３に覆われたＬＥＤ１１ａと、偏光フィルタ１３に覆われていないＬＥＤ１２ａの双方を備えておけば、図２に示した連写動作切替スイッチ１８（ＯＮ／ＯＦＦ）によってＬＥＤ１１ａとＬＥＤ１２ａを連写撮影時に自動的に切り替えることにより、偏光の有り／無しの撮影を１回のシャッタ操作で実現することが可能となる。偏光フィルタ１３を取り付けた場合は、カメラ本体１の撮像レンズ系１ｄの先端を覆う偏光フィルタ１４と相まって皮膚表面の不要な反射を取り除き、明瞭な表皮状態を診察することが可能となる。
【００２３】
（ダーモスコピーカメラ１０の動作）
図５を参照しつつ、ダーモスコピーカメラ１０の動作フローを説明する。図５は、ライトユニット３において偏光フィルタ１３に覆われているＬＥＤ１１ａが点灯している状態から開始する場合を示している（図中左側に図示したライトユニット３におけるステップＳ３０１）。
【００２４】
まず、コントローラ２においてダーモスコピーカメラ１０の電源をＯＮにする（ステップＳ１０１）。そうすると、検知可能手段としてカメラ本体１の電源ランプ１７が消灯状態から緑点灯状態となる。次に、コントローラ２で連写設定を行い（ステップＳ１０２）、シャッタボタン２ａによってレリーズを操作する（ステップＳ１０３）。
【００２５】
このとき、ライトユニット３の電源ボタン８がＯＮにされた状態で、連写動作切替スイッチ１８（ＯＮ／ＯＦＦ）によって通常連写とするか切替連写とするかを切り替えておく。ここで、通常連写とは、連写動作切替スイッチ１８をＯＦＦとすることによって、偏光フィルタ１３に覆われたＬＥＤ１１ａ及び偏光フィルタ１３に覆われていないＬＥＤ１２ａのいずれか同じＬＥＤの照射下において連写することを意味し、これに対し、切替連写とは、連写動作切替スイッチ１８をＯＮとすることによって、偏光フィルタ１３に覆われたＬＥＤ１１ａと偏光フィルタ１３に覆われていないＬＥＤ１２ａを自動切替で異なるＬＥＤの照射下によって連写することを、それぞれ意味する。
【００２６】
レリーズ時に、連写動作切替スイッチ１８がＯＦＦであれば、すなわち、通常連写がＹＥＳであれば（ステップＳ１０４の「Ｙ」）、電源ランプ１７は緑点灯状態のままとされ、ＬＥＤ１１ａの照射下において（ステップＳ３０１）での２枚連写で画処理され、保存される（ステップＳ１０５）。
【００２７】
他方、リレーズ時に、連写動作切替スイッチ１８がＯＮであれば、すなわち、通常連写がＮＯであれば（ステップＳ１０４の「Ｎ」）、ＬＥＤ１１ａの照射下において１枚目の撮影を行った後（ステップＳ１０６）、電源ランプ１７が緑点灯状態を赤点灯状態又は消灯状態に変更され（ステップＳ１０７）、フォトセンサ１８（受光素子）が電源ランプ１７の変更された状態を感知する（図中右側に図示したライトユニット３におけるステップＳ３０２）。
【００２８】
ライトユニット３は、フォトセンサ１８（受光素子）が電源ランプ１７の変更された状態を感知すると、直ちにＬＥＤ１１ａを消灯するとともにＬＥＤ１２ａを点灯させ（ステップＳ３０３）、２枚目の連写タイミングに合わせる。そして、ＬＥＤ１２ａの照射下において２枚目の撮影が連写として行われる（ステップＳ１０８）。その後、電源ランプ１７は、赤点灯状態又は消灯状態から緑点灯状態に戻され（ステップＳ１０９）、フォトセンサ１８（受光素子）が電源ランプ１７の変更された状態を感知する（ステップＳ３０４）。
【００２９】
ＬＥＤ１１ａの照射下において撮影された１枚目とＬＥＤ１２ａの照射下において撮影された２枚目を２枚連写として画処理され、保存される（ステップＳ１１０）。ライトユニット３は、フォトセンサ１８（受光素子）が電源ランプ１７の戻された状態を感知すると、ＬＥＤ１２ａを消灯するとともにＬＥＤ１１ａを点灯させてステップＳ３０１の状態に戻る（ステップＳ３０５）。
【００３０】
このように、第１実施形態に係るダーモスコピーカメラ１０は、偏光フィルタ１３に覆われているＬＥＤ１１ａの照射下における撮影と、偏光フィルタ１３に覆われていないＬＥＤ１２ａの照射下における撮影、すなわち、偏光効果の有り無しの状態を１回のシャッタ操作で連写することが可能となる。
【００３１】
なお、図５では、偏光フィルタ１３に覆われているＬＥＤ１１ａが点灯している状態から開始し、電源ランプ１７の点灯状態を変更することによって偏光フィルタ１３に覆われていないＬＥＤ１２ａに切り替えて連写することとしているが、これとは逆に、偏光フィルタ１３に覆われていないＬＥＤ１２ａが点灯している状態から開始し、電源ランプ１７の点灯状態を変更することによって偏光フィルタ１３に覆われているＬＥＤ１１ａに切り替えて連写するようにしてもよい。さらに、両方の連写を選択的に設定できるようにしてもよい。
【００３２】
（第２実施形態）
次に、第２実施形態に係るダーモスコピーカメラ２０について説明する。第２実施形態では、光源としてＬＥＤの種類が増強されており、可視光のＬＥＤ２１１ａ及びＬＥＤ２１２ａに加えて、近赤外光のＬＥＤ２１５ａが設けられている。近赤外光のＬＥＤ２１５ａは紫外光のＬＥＤで置換してもよいし、近赤外光のＬＥＤ２１５ａに加えて紫外光のＬＥＤを設けてもよい。以下では、可視光のＬＥＤ２１１ａ及びＬＥＤ２１２ａ並びに近赤外光のＬＥＤ２１５ａを設けた例として説明しており、第１実施形態で述べた連写時において、高速で切り替えることにより、１回のシャッタ操作で３種類の光源の撮影が可能となる。以下、第１実施形態と異なる点を中心に説明する。
【００３３】
図６は、第２実施形態に係る撮像装置の正面図である。図７は、図６の分解斜視図である。図８は、図７におけるライトユニット２３の斜視断面図である。図９は、図７におけるカメラ本体２１の斜視断面図である。図１０は、図６におけるライトユニット２３の正面図である。図１１は、図１０におけるライトユニット２３のＸ−Ｘ線断面図である。図１２は、同じくライトユニット２３のＹ−Ｙ線断面図である。
【００３４】
図６に示すように、ダーモスコピーカメラ２０（撮像装置）は、カメラ本体２１と、カメラ本体２１の前方に設けられたライトユニット２３と、カメラ本体２１の後方に設けられたコントローラ２２とによって一体的に構成されている。これを図７によって分解してみると、カメラ本体２１はレンズユニット２１Ａと枠体２１Ｂを含み、ライトユニット２３は第１カバー体２３Ａと第２カバー体２３Ｂを含み、コントローラ２２は本体部２２Ａと回路基板２２Ｂと表示部２２Ｃを含んでいる。
【００３５】
ライトユニット２３は、より具体的には図８に拡大して斜視断面を示すように構成される。第１実施形態と異なる第１の点は、皮膚疾患部に接触せずに離間した状態で皮膚疾患部を撮影する場合に用いる光源として、通常撮影用のＬＥＤ２１６が設けられている。通常撮影用のＬＥＤ２１６は、第２カバー体２３Ｂの基端（後方側）の周囲に前方を向いて環状に配置されており、図６及び後述する図１０では、左右に３個ずつ、計６個が配置された例を示している。なお、図８では図中に全貌が描画されていないが、計８個が配置された例を示している。
【００３６】
通常撮影用のＬＥＤ２１６は、第２カバー体２３Ｂの中心に対して同心円上に等間隔で配置されており、撮像レンズ系２１ｄの外周位置から光を前方に向けて出射するリングフラッシュとして機能する。通常撮影用のＬＥＤ２１６は、白色光を発するＬＥＤから構成されている。第２カバー体２３Ｂの先端の開口にはカバー部材２６が嵌め込まれており、ダーモスコピー撮影時に被写体である皮膚疾患部に接触する。
【００３７】
第１実施形態と異なる第２の点は、発光部２７に、ダーモスコピー撮影用の光源として、前述のとおり、可視光のＬＥＤ２１１ａ及びＬＥＤ２１２ａに加えて、近赤外光ＬＥＤ２１５ａが設けられている。これらのＬＥＤが上下において一対となっていること、偏光フィルタ２１３に覆われている一対の可視光ＬＥＤ２１１ａと偏光フィルタ２１３に覆われていない一対の可視光ＬＥＤ２１２ａが千鳥状に配置されていることは、第１実施形態と同様である。
【００３８】
カメラ本体２１は、レンズユニット２１Ａを囲うように支持する枠体２１Ｂを介して第１カバー体２３Ａに取り付けられる。レンズユニット２１Ａを抜き出してその断面を示すと、図９のとおりである。撮像レンズ系２１ｄの後方すなわち筐体２１ａの後面には回路配線基板２１ｂ及び撮像素子２１ｃが収容されており、その前方には、前から順に、赤外カットフィルタ２１ｅ（ＩＲＣＦ）、近赤外透過フィルタ２１ｆ、偏光フィルタ２１ｇが配置されている。近赤外透過フィルタ２１ｆは、ライトユニット２３の近赤外光のＬＥＤ２１５ａが紫外光のＬＥＤに置換された場合には、紫外透過フィルタに置換される。なお、図中左側には、コントローラ２２によってレンズユニット２１Ａを操作するためのフレキシブル回路基板２１ｈが延在している。
【００３９】
ここで、皮膚疾患部の診断に際し、可視光でのダーモスコピー撮影に加え、近赤外光及び紫外光を照射できるように構成しておくことが好適な理由は次のとおりである。皮膚の最深部（真皮）を撮影するには近赤外光でのダーモスコピー撮影が適しており、それより波長が短くなるほど光は深部に届かなくなる傾向がある。また、色素病変ではメラニン，血管腫ではヘモグロビンが皮膚疾患部の色調の変化をもたらす色素となり得るが、後者のオキシヘモグロビンについては可視光の照射が適する一方、前者のドーパメラニンでは波長が長いほど光の吸収効率が低下するため、可視光より波長が短い紫外光がより効果的となる。
【００４０】
図１０はライトユニット２３の正面を拡大して示したものであるが、それぞれの光源であるＬＥＤ２１５ａ、ＬＥＤ２１１ａ、ＬＥＤ２１２ａ、ＬＥＤ２１６は、第１実施形態で説明したような制御の手段によって、４つのパターンで点灯することが可能となる。すなわち、近赤外光（又は紫外光）の上下一対のＬＥＤ２１５ａを点灯させる第１パターン、偏光フィルタ２１３に覆われた可視光の上下一対のＬＥＤ２１１ａを点灯させる第２パターン、変更フィルタ２１３に覆われていない可視光の上下一対のＬＥＤ２１２ａを点灯させる第３パターン、通常撮影用のＬＥＤ２１６（ここでは、計６個）を点灯させる第４パターンである。
【００４１】
１回のシャッタ操作による連写としては、ダーモスコピー撮影に用いられる第１パターンから第３パターンを順不同に自動連写するように構成するこができる。さらには、通常撮影用の第４パターンも含めて自動連写するように構成することもできる。
【００４２】
図１１に図１０のＸ−Ｘ線断面（垂直断面）を、また、図１２に図１０のＹ−Ｙ線断面（水平断面）をそれぞれ示す。図１１は、第１パターンから第３パターンにおいてダーモスコピー撮影を行った場合の垂直画角θｘを示している。垂直の場合、ＬＥＤ２１５ａ、ＬＥＤ２１１ａ又はＬＥＤ２１２ａは撮像レンズ系２１ｄの光軸に向かってテーパ状に光を照射されることから、カバー部材２６に接触した皮膚疾患部から反射された光の撮像レンズ系２１ｄへ入射する垂直画角θｘは相対的に狭くなる。例えば、図１１では、垂直画角θｘは３５．２°である。
【００４３】
なお、図１１において、ＬＥＤ２１５ａ（ＬＥＤ２１１ａ及びＬＥＤ２１２ａも含む）に制御信号を流すための有線２８及び端子２８ａが上下一対に設けられている。また、第１カバー体２３Ａの外周近傍には、図１２で示すＬＥＤ２１６に制御信号を流すための有線２９及び端子２９ａが設けられている。
【００４４】
図１２は、第１パターンから第３パターンにおいてダーモスコピー撮影を行った場合の水平画角θｙを示している。水平の場合、ＬＥＤ２１５ａ、ＬＥＤ２１１ａ又はＬＥＤ２１２ａは撮像レンズ系２１ｄの光軸と平行に照射されることから、カバー部材２６に接触した皮膚疾患部から反射された光の撮像レンズ系２１ｄへ入射する水平画角θｙは相対的に広くなり、例えば、図１２では、水平画角θｙは４７°である。
【００４５】
（実施形態の効果について）
以上説明したように、本実施形態に係るダーモスコピーカメラ１０、２０においては、カメラ本体１、２１側に特別な機構を設けることなく、すなわちカメラ本体１，２１側のハードウエアを変更することなく、ライトユニット３，２３側のみにフォトセンサ１５及び関連要素を付加することにより、カメラ本体１，２１の側でアタッチメントであるライトユニット３，２３を制御することができる。カメラ本体１，２１は、ソフトウエアのバージョンアップで対応が可能となる。
【００４６】
１回のシャッタ操作で、ライトユニット３の光源であるＬＥＤ１１ａ（偏光有り）とＬＥＤ１２ａ（偏光無し）を切替えて、１回のシャッタ操作で連写が可能となる。
【００４７】
ダーモスコピー撮影用のＬＥＤの種類を、可視光タイプ、紫外タイプ、近赤外タイプとすることもでき、連写時に高速で切り替えることにより、１回のシャッタ操作で３種類の光源の撮影が可能となる。
【００４８】
ダーモスコピー撮影時に、カメラ本体１，２１の操作によって複数の点灯パターンで撮影が可能となることから、診断時間の短縮を図ることができる。
【００４９】
（実施形態の変形について）
本実施形態は上述した態様に限定されず、様々な変形及び応用が可能である。上述の実施形態では、カメラ本体１，２１に対してライトユニット３，２３を回動可能に取り付けてもよいし、摺動可能に取り付けてもよい。要するに、撮影の際に、撮像レンズ系１ｄ，２１ｄの前方をライトユニット３，２３で覆うように配置すればよい。なお、撮像レンズ系１ｄ，２１ｄは、ダーモスコピーカメラ１０，２０の用途等を勘案して、ズームレンズに代えて固定焦点レンズとして構成しても差し支えない。
【００５０】
また、カメラ本体１，２１側の電源ランプ１７の点灯状態をライトユニット３，２３側で検知し、ライトユニット３，２３の点灯パターンを制御するにあたっては、より多くの点灯パターンを実施できるように、電源ランプ１７について、発光色を増やしたり、光量を増減したり、点滅させたりするなどの点灯状態のバリエーションを増強することにより、ライトユニット３，２３側でより複雑なライトコントロールが可能となる。
【００５１】
また、上記の実施形態では、カメラ本体２１の電源ランプを制御のために用いているが、これ以外であっても、カメラ本体２１に設けられている既存の検知可能手段であれば制御のために用いてもよい。例えば、ストロボ、モニタなどで、それらの状態の変更をライトユニット２３側で検知できるものであれば、採用することができる。カメラ本体２１とライトユニット２３を電気的に直接結線してもよい。
【００５２】
また、上記実施形態では、各種光源は、ＬＥＤであると説明したが、他の光源を採用してもよい。例えば、ハロゲンランプなどの高輝度ライト、半導体発光素子、及び有機エレクトロルミネッセンスなどの発光素子を用いることができる。
【００５３】
また、ＬＥＤ２１６は、白色光を発するＬＥＤから構成されていると説明したが、例えば青色光光源あるいは緑色光光源を採用してもよい。また発する光の色が互いに異なる光源を設けるようにして、異なる色の光源ごとに独立して発光できる態様であってもよい。このように、異なる色の光を照射して撮像画像を得ることで、異なる像を得ることができ、異なる像を比較したり、像を重ね合わせたりすることで、皮膚疾患部の検査、及び診断を容易なものとすることができる。
【００５４】
また、本実施形態に係る撮像装置は、上記実施形態で説明したダーモスコピーカメラ１０，２０のように、ダーモスコピー撮影のための撮像装置に限定されない。より一般的に被写体に接触することで撮影する撮像装置であるクローズアップカメラなどにも、本発明を適用することができる。
【００５５】
また、上記のダーモスコピーカメラ１０，２０においては、コントローラ２、２２（表示部２２Ｃ）に、タッチパネル式の画面（不図示）が設けられていると説明した。しかしながら、タッチパネル式の画面（不図示）等の表示部（操作受付部を兼ねるものを含む）を、コントローラ２、２２は物理的に分離した操作部に設けるようにしてもよい。コントローラ２、２２と表示部とは、既存の通信技術を用いて双方向に通信可能である。撮影者は、表示部を操作することにより、カメラ本体１，２１の各種設定やシャッタ操作等を行うことができる。
【００５６】
また、上記のダーモスコピーカメラ１０，２０においては、通常のカメラ本体１，２１にアタッチメント（ライトユニット３，２３）を取り付ける態様をもって説明しているが、カメラ機能を有するスマートフォンにアタッチメントを付けて、検知可能手段としてスマートフォンの既存のランプや、モニタ画面のアイコン等の表示を受信してアタッチメントを制御するように構成してもよい。昨今普及が著しいスマートフォンを活用することにより、実施汎用性を高く向上させることができる。この場合、スマートフォンに実施形態で説明した機能をアプリケーションプログラムとしてインストールすればよい。
【００５７】
さらに、上記のダーモスコピーカメラ１０，２０においては、アタッチメントとしてライトユニット３，２３を例として説明しているが、電源ランプを検知して制御され得るものであれば、ライトユニットに限らず、レンズニットやフィルタをアタッチメントとしてもよい。
【００５８】
以下に、この出願の願書に最初に添付した特許請求の範囲に記載した発明を付記する。付記に記載した請求項の項番は、この出願の願書に最初に添付した特許請求の範囲のとおりである。
［請求項１］
疾患領域の診断を支援する撮像装置であって、
前記疾患領域を被写体として撮影するカメラ本体と、
前記カメラ本体に装着されるアタッチメントと、を備え、
前記アタッチメントが、前記カメラ本体に設けられている検知可能手段の動作状態に応じて制御されることを特徴とする撮像装置。
［請求項２］
前記検知可能手段が、光により検知可能であることを特徴とする請求項１に記載の撮像装置。
［請求項３］
前記アタッチメントが光源を備えるライトユニットであり、前記検知可能手段が前記カメラ本体に設けられた側の電源ランプであって、前記光源が、前記アタッチメントによって検知された前記電源ランプの点灯状態に応じて、その動作を制御されることを特徴とする請求項２に記載の撮像装置。
［請求項４］
前記ライトユニットが前記カメラ本体の前記電源ランプの点灯状態をフォトセンサで検知し、前記光源が前記カメラ本体のレリーズ操作に連動した点灯パターンによって制御されることを特徴とする請求項３に記載の撮像装置。
［請求項５］
前記光源が、可視光、紫外光及び近赤外光の少なくとも２つを含み、前記カメラ本体が１回のシャッタ操作で複数の光源を用いて前記被写体を連写することを特徴とする請求項３又は４に記載の撮像装置。
［請求項６］
前記カメラ本体がスマートフォンであり、前記検知可能手段が前記スマートフォンに設けられているモニタ画面であり、前記アタッチメントが前記スマートフォンの前記モニタ画面の表示状態に応じて制御されることを特徴とする請求項１に記載の撮像装置。
［請求項７］
前記スマートフォンには前記アタッチメントを制御するためのアプリケーションプログラムがインストールされることを特徴とする請求項６に記載の撮像装置。
［請求項８］
疾患領域を被写体として撮影するカメラ本体に装着されるアタッチメントであって、
前記カメラ本体に設けられている検知可能手段の光に応じて制御される光源を備えることを特徴とするアタッチメント。
【符号の説明】
【００５９】
１０…ダーモスコピーカメラ（第１実施形態。撮像装置）
１…カメラ本体、１ａ…筐体、１ｂ…回路配線基板、１ｃ…撮像素子、１ｄ…撮像レンズ系
２…コントローラ
３…ライトユニット、３Ａ…第１カバー体、３Ｂ…第２カバー体、
４…取り付けステー
５…ステー固定ネジ
６…カバー部材
７…発光部
８…電源ボタン（ライトユニットの）
９…電池部（ライトユニットの）
１１ａ，１２ａ…ＬＥＤ（ダーモスコピー撮影用の光源）
１３，１４…偏光フィルタ
１５…フォトセンサ
１６…ＬＥＤ制御基板
１７…電源ランプ
１８…連写動作切替スイッチ
２０…ダーモスコピーカメラ（第２実施形態。撮像装置）
２１…カメラ本体、２１Ａ…レンズユニット、２１Ｂ…枠体
２１ａ…筐体、２１ｂ…回路配線基板、２１ｃ…撮像素子、２１ｄ…撮像レンズ系、２１ｅ…赤外カットフィルタ、２１ｆ…近赤外透過フィルタ、２１ｇ…偏光フィルタ、２１ｈ…フレキシブル回路基板
２２…コントローラ、２２Ａ…本体部、２２Ｂ…回路基板、２２Ｃ…表示部
２３…ライトユニット、２３Ａ…第１カバー体、２３Ｂ…第２カバー体、
２１１ａ，２１２ａ，２１５ａ…ＬＥＤ（ダーモスコピー撮影用の光源）
２１３…偏光フィルタ
２１６…ＬＥＤ（通常撮影用の光源）
２６…カバー部材
２７…発光部
２８…有線
２９…有線
【図１】
2019117278.tif 000003
【図２】
2019117278.tif 000004
【図３】
2019117278.tif 000005
【図４】
2019117278.tif 000006
【図５】
2019117278.tif 000007
【図６】
2019117278.tif 000008
【図７】
2019117278.tif 000009
【図８】
2019117278.tif 000010
【図９】
2019117278.tif 000011
【図１０】
2019117278.tif 000012
【図１１】
2019117278.tif 000013
【図１２】
2019117278.tif 000014